(57)【特許請求の範囲】
【請求項１】
有底形状の缶体と前記缶体の開口部を封口する蓋体とを溶接して収納ケースをなし，前記収納ケース内に発電要素を収納する缶型電池において，
前記蓋体には，
前記発電要素から発生するガスを前記収納ケースの外側に放出するための安全弁部と，
前記缶体との溶接箇所と前記安全弁部との間に位置し，前記安全弁部を囲み，前記蓋体の板面から前記収納ケースの外側に向けて突出し，その突出端の高さ方向の位置が，前記安全弁部の位置および前記溶接箇所の位置よりも高いリブ部とが設けられていることを特徴とする缶型電池。
【請求項２】
請求項１に記載する缶型電池において，
前記安全弁部の高さ方向の位置は，前記蓋体の板面の位置と同等であることを特徴とする缶型電池。
【請求項３】
請求項１に記載する缶型電池において，
前記収納ケースの内側に位置し，前記安全弁部と前記リブ部とによって区画される空域部が設けられていることを特徴とする缶型電池。
【請求項４】
請求項１または請求項２に記載する缶型電池において，
前記蓋体には，前記安全弁部を囲み，前記蓋体の板面から前記収納ケースの内側に向けて突入した形状の第２リブ部が設けられていることを特徴とする缶型電池。
【請求項５】
請求項１または請求項２に記載する缶型電池において，
前記リブ部の，前記蓋体の縁辺側の壁面は，前記安全弁部側に傾いていることを特徴とする缶型電池。
【請求項６】
請求項１または請求項２に記載する缶型電池において，
前記蓋体には，前記蓋体の縁辺と前記リブ部との間に溝が設けられていることを特徴とする缶型電池。
【請求項７】
複数個の電池を組み合わせてなるとともに，
各電池は，有底形状の缶体と前記缶体の開口部を封口する蓋体とを溶接して収納ケースをなし，前記収納ケース内に発電要素を収納している組電池において，
各電池の蓋体には，
発電要素から発生するガスを収納ケースの外側に放出するための安全弁部と，
前記安全弁部を囲み，前記蓋体の板面から収納ケースの外側に向けて突出し，その突出端の高さ方向の位置が，前記安全弁部の位置および前記溶接箇所の位置よりも高いリブ部とが設けられ，
各電池のリブ部の端部をまとめて覆うカバー部を有することを特徴とする組電池。
【請求項８】
有底形状の缶体と前記缶体の開口部を封口する蓋体とを備えた収納ケース内に発電要素を収納する缶型電池の製造方法において，
発電要素を缶体に収納する収納工程と，
前記収納工程後に，缶体の開口部に対して，発電要素から発生するガスを収納ケースの外側に放出するための安全弁と，その安全弁部を囲み，収納ケースの外側に突出し，その突出端の高さ方向の位置が，前記安全弁部の位置および前記溶接箇所の位置よりも高いリブ部とが一体的に設けられた蓋体を溶接する溶接工程とを含むことを特徴とする缶型電池の製造方法。
【発明の詳細な説明】
【技術分野】
【０００１】
本発明は，発電要素が缶体に収納された缶型電池およびその製造方法に関する。さらに詳細には，缶体の開口部を封口する蓋体を備え，缶体と蓋体とが溶接されている缶型電池およびその製造方法に関するものである。
【背景技術】
【０００２】
近年，リチウムイオン電池等の蓄電池は，携帯型ＰＣや携帯電話を始めとする電子機器のみならず，ハイブリッド車や電気自動車の電源として注目されている。このような蓄電池は，図１６に示すように発電要素１０と，その発電要素１０を収納する外装缶１と，外装缶１の開口部を封口する封口蓋２と，封口蓋２から突出して取り付けられている端子３１とを備えている。また，封口蓋２は，レーザ溶接等により外装缶１に溶接されている。なお，発電要素を外装缶（缶体）に収納し，レーザ溶接にて封口蓋（蓋体）を溶接した缶型電池としては，例えば特許文献１に開示された非水電解質電池がある。
【０００３】
また，リチウムイオン電池等の蓄電池では，過充電・短絡等の異常時に，発電要素から多量の反応ガスが発生し，缶体内の圧力（以下，「内圧」とする）が上昇する。また，使用環境温度の変化によっても内圧が上昇する。そのため，図１６に示したような缶型蓄電池では，異常時に発生する反応ガスを安全に排出するための安全機構として，封口蓋２の一部に安全弁部２１が設けられている。この安全弁部２１には，封口蓋２と一体的に形成されるタイプ（一体型）のものと，封口蓋２とは別に形成されて封口蓋２に溶接されるタイプ（溶接型）のものとがある。なお，封口蓋に安全弁部が設けられた缶型電池としては，例えば特許文献２に開示された制御弁式鉛蓄電池がある。
【特許文献１】特開平１１−２６０３２９号公報
【特許文献２】特開２００３−４５４１２号公報
【発明の開示】
【発明が解決しようとする課題】
【０００４】
しかしながら，前記した従来の缶型電池には次のような問題があった。すなわち，レーザ溶接等にて溶接すると溶接熱が安全弁部の溝に伝わることになる。そのため，安全弁部では，そのときの熱応力の影響を受けて開弁圧が低下してしまうことがある。特に溶接型の缶型電池では，安全弁部廻りで少なくとも２回の溶接が行われることから溶接熱による影響が大きい。近年，缶型電池の小型化が進んでおり，封口蓋の薄板化に伴って溶接熱の影響がますます懸念される。
【０００５】
また，封口蓋は板厚が薄く，外力に対する剛性に乏しい。また，封口蓋に設けられた安全弁部はさらに板厚が薄く，外力に対する剛性がさらに乏しい。そのため，封口蓋の取り付け作業等において外力による影響を受け易く，ねじれ等の不具合が生じ易い。
【０００６】
また，缶型電池の小型化に伴って，安全弁部から放出される反応ガスの回収部品の取り付け作業が困難になっている。そのため，ガス回収部品と封口蓋との取り付けが不十分となって隙間が生じることがある。そして，隙間が生じた場合，その隙間から有害な反応ガスが漏れてしまうおそれがある。
【０００７】
本発明は，前記した従来の缶型電池が有する問題点を解決するためになされたものである。すなわちその課題とするところは，溶接時における熱の影響を回避し，安全弁部の外力に対する剛性を向上させ，安全弁部から放出される反応ガスの回収が容易である缶型電池およびその製造方法を提供することにある。
【課題を解決するための手段】
【０００８】
この課題の解決を目的としてなされた缶型電池は，有底形状の缶体とその缶体の開口部を封口する蓋体とを溶接して収納ケースをなし，その収納ケース内に発電要素を収納する缶型電池であって，蓋体には，発電要素から発生するガスを収納ケースの外側に放出するための安全弁部と，缶体との溶接箇所と前記安全弁部との間に位置し，安全弁部を囲み，蓋体の板面から収納ケースの外側に向けて突出し，その突出端の高さ方向の位置が，安全弁部の位置および溶接箇所の位置よりも高いリブ部とが設けられていることを特徴とするものである。
【０００９】
すなわち，本発明の缶型電池の蓋体には，安全弁部と突出形状のリブ部とを有している。このリブ部は，蓋体のうち，缶体との溶接箇所と安全弁部との間の位置に設けられている。このリブ部を設けることで，ねじれに対する剛性の向上が図られる。また，リブ部を設けることで，安全弁部を外力から保護することができる。また，リブ部は，溶接熱の伝達経路となる。すなわち，リブ部は放熱材としても利用される。そのため，安全弁部の溶接熱による影響を抑制することができる。なお，リブ部の高さは高ければ高いほど剛性の向上および溶接熱の放熱の効果がある。そのため，リブ部の高さは，蓋体の厚さに対して少なくとも１．２倍はあることが好ましい。
【００１０】
また，本発明の缶型電池のリブ部は，安全弁部の縁辺に沿って設けられていることとするとよりよい。このように配置することで，溶接熱の安全弁部への伝達を確実に抑制することができる。また，安全弁部が開弁して反応ガスが放出された際，取り付けたガス回収部材からその反応ガスのガス漏れの抑制を図ることもできる。また，注液工程後における漏れ電解液の安全弁部への進入を防ぐことができ，安全弁部の腐食を抑制することもできる。
【００１１】
また，本発明の缶型電池は，収納ケースの内側に位置し，安全弁部とリブ部とによって区画される空域部が設けられていることとするとよりよい。例えば，安全弁部をリブ部の上方に設けることで，収納ケースの内側に安全弁部とリブ部とによって区画される空域部が設けられる。この空域部は，電解液の反応ガスのガス室として利用され，内圧の上昇を抑制することができる。
【００１２】
また，本発明の缶型電池の蓋体には，安全弁部を囲み，蓋体の板面から収納ケースの内側に向けて突入した形状の第２リブ部が設けられていることとするとよりよい。すなわち，蓋体の外側だけでなく，蓋体の内側にもリブ部を設けることにより，蓋体の剛性をより向上させることができる。
【００１３】
また，本発明の缶型電池のリブ部の，蓋体の縁辺側の壁面は，安全弁部側に傾いていることとするとよりよい。すなわち，安全弁部を囲むリブ部の外側壁面に傾きを設けることにより，ガス回収部材の取り付けが容易になる。また，リブ部とガス回収部材との気密性が向上し，ガス漏れが抑制される。なお，リブ部の外側壁面を安全弁部側に傾けるには，例えば，リブ部をテーパ形状に設ければよい。
【００１４】
また，本発明の缶型電池の蓋体には，蓋体の縁辺とリブ部との間に溝が設けられていることとするとよりよい。すなわち，溝を設けることにより，溶接熱の伝達経路を狭めることができる。また，溝が折り目となることで外力が吸収され，外力の安全弁部への伝達を抑制することができる。よって，溶接熱および外力の影響を回避することができる。
【００１５】
また，本発明の缶型電池は，複数個の缶型電池を組み合わせて組電池とし，各缶型電池のリブ部の端部をまとめて覆うカバー部を設けることとしてもよい。すなわち，本発明の缶型電池はリブ部が蓋体から突出しているため，リブ部がガイドとなってカバー部材を隙間なく取り付けることが容易となる。そして，このカバー部がガス回収部材として機能することにより，反応ガスを所望の場所に確実に回収することができる。
【００１６】
また，本発明の缶型電池の製造方法は，有底形状の缶体と前記缶体の開口部を封口する蓋体とを備えた収納ケース内に発電要素を収納する缶型電池の製造方法であって，発電要素を缶体に収納する収納工程と，収納工程後に，缶体の開口部に対して，発電要素から発生するガスを収納ケースの外側に放出するための安全弁と，その安全弁部を囲み，収納ケースの外側に突出し，その突出端の高さ方向の位置が，安全弁部の位置および溶接箇所の位置よりも高いリブ部とが一体的に設けられた蓋体を溶接する溶接工程とを含んでいる。
【００１７】
本発明の製造方法では，安全弁部とリブ部とが一体的に設けられた蓋体を利用することにより，溶接の回数を少なくすることができる。すなわち，安全弁部とリブ部とを溶接する工程が不要であるため，溶接熱の影響が小さい。
【発明の効果】
【００１８】
本発明によれば，安全弁部を囲むリブ部を設けることにより外力に対する剛性を向上させている。また，リブ部を放熱材として利用できるため，溶接熱の影響が小さい。また，リブ部を反応ガスのダクトとして利用できるため，排気ガスを所定の場所に導くことができるとともにガス漏れを防止することができる。従って，溶接時における熱の影響を回避し，安全弁部の外力に対する剛性を向上させ，安全弁部から放出される反応ガスの回収が容易である缶型電池およびその製造方法が実現されている。
【発明を実施するための最良の形態】
【００１９】
以下，本発明を具体化した最良の形態について，添付図面を参照しつつ詳細に説明する。本実施の形態は，発電要素が缶体に収納されたリチウムイオン蓄電池（以下，単に「缶型蓄電池」とする）に本発明を適用したものである。
【００２０】
本形態の缶型蓄電池１００は，図１に示すように発電要素１０と，発電要素１０を封入する外装缶１と，外装缶１に溶接されている封口蓋２とを有している。また，封口蓋２の板面を貫通して突出する正極端子３１が取り付けられている。発電要素１０は，正極板と負極板とをセパレータを挟んで捲回し，扁平状に形成したものである。外装缶１は，扁平形状であって有底形状の缶体である。そして，外装缶１内には発電要素１０が収納されており，その上面を封口蓋２で塞ぐことによって発電要素１０が密封されている。具体的に，外装缶１と封口蓋２とがレーザ溶接されることによって一体となっている。従って，外装缶１と封口蓋２とが発電要素１０の収納ケースに相当する。
【００２１】
発電要素１０を構成する各部材としては，例えば，正極の電極シートとしてコバルト酸リチウム，負極の電極シートとして黒鉛化炭素材料，セパレータとしてポリエチレン等の樹脂，さらに電解液としてリチウム塩を溶解させた有機溶媒が利用される。外装缶１は，アルミニウム，アルミニウム合金等の金属材であり，その板厚は１．０ｍｍ程度である。封口蓋２は，アルミニウム，めっき鋼板，ステンレス鋼板等の金属材であり，その板厚が０．５ｍｍ程度である。外装缶１や封口蓋２に利用する金属材は，成形が容易であって，剛性があるものであればよい。
【００２２】
図２は，封口蓋２を上面から見た図である。また，図３は，図２に示した封口蓋２のＡ−Ａ断面を示す図である。また，図４は，図２あるいは図３に示した封口蓋２のＢ−Ｂ断面を示す図である。これらの図に示したように封口蓋２には，安全弁部２１と，リブ部２２と，端子口２３と，注液口２４とが設けられている。安全弁部２１は，封口蓋２と一体的に形成された一体型のものであり，その板厚は０．３ｍｍ程度である。すなわち，安全弁部２１の板厚は，封口蓋２の板厚Ｔ１と比較して薄い。さらに，安全弁部２１の中心部分には溝部２８が設けられており，その板厚はさらに薄い。
【００２３】
この安全弁部２１は，外装缶１内の圧力が所定値（本形態では，０．８０ＭＰａとする。以下，この圧力を「開弁圧」とする）に達すると，溝部２８が裂ける構造になっている。これにより，過充電状態となり，外装缶１内に電解液の反応ガスが充満して内圧が上昇した場合に，内圧が開弁圧に達することで安全弁部２１の溝部２８が裂けることになる。そして，外装缶１内に充満した反応ガスが安全弁部２１から放出される。
【００２４】
また，封口蓋２には，安全弁部２１の廻りにリブ部２２が設けられている。本形態のリブ部２２は，封口蓋２の板面から収納ケースの外側に向けて突起した形状であり，その厚さＴ２が０．５ｍｍ程度でかつ高さＨが２．０ｍｍ程度である。このリブ部２２が設けられていることにより，封口蓋２のねじれに対する剛性が向上する。すなわち，リブ部２２には封口蓋２を補強する効果がある。さらに，安全弁部２１の廻りを取り囲むことにより，特に剛性が乏しい安全弁部２１を外力から保護している。よって，外力の影響による開弁圧の低下が抑制されている。
【００２５】
なお，リブ部２２の高さＨは，リブ部２２の材質や要求される強度によって異なるが，剛性の確保および後述する放熱性の確保を図るためには封口蓋２の板厚Ｔ１に対して少なくとも１．２倍はあることが望ましい。また，高さＨが必要以上に大きいと缶型電池自体のコンパクト化の妨げとなる。そのため，リブ部２２の高さＨは，封口蓋２の板厚Ｔ１に対して１．２倍〜１０．０倍の範囲内とすることが好ましい。
【００２６】
次に，前述した缶型蓄電池１００を複数個組み合わせてなる組電池２００について説明する。本形態の組電池２００は，図５に示すように缶型蓄電池１０１，１０２についてそれぞれの扁平面を合わせるように配置したものである。組電池２００では，図６に示すように各缶型蓄電池のリブ部２２の先端部をまとめて覆うガス回収部材４が設けられている。そして，各缶型蓄電池のリブ部２２は，安全弁部２１が開放された際にガス回収部材４へのガイドとして利用される。すなわち，このガス回収部材４およびリブ部２２によりガス回収ダクトが形成され，各缶型蓄電池の安全弁部２１からの反応ガスが所定の位置から放出される。
【００２７】
また，各缶型蓄電池のリブ部２２が封口蓋２から突出した形状をしていることにより，ガス回収部材４の取り付けの際にも取付けガイドとして利用することができる。よって，ガス回収部材４の取り付けが容易となる。また，容易に取り付けることができることから取り付け時の不具合も少なく，ガス漏れ等も防止することができる。
【００２８】
続いて，本形態の缶型蓄電池１００の製造方法について説明する。まず，正極および負極の電極シートとセパレータとを重ね合わせて扁平形状に捲回させたものを用意する。すなわち，発電要素１０を用意する。その後，正極端子を正極の電極シートに，負極端子を負極の電極シートにそれぞれ取り付ける。
【００２９】
次に，発電要素１０を有底形状の外装缶２内に挿入する。その後，外装缶１の開口部に対し，レーザ溶接によって封口蓋２を取り付ける。図７は，外装缶１と封口蓋２とを溶接する際のイメージを示している。ここで，レーザ溶接にて外装缶１と封口蓋２とを溶接する際，その溶接熱が封口蓋２内を伝わる。このとき，殆どの溶接熱がリブ部２２に導かれ，安全弁部２１に伝わることなく放熱される。そのため，安全弁部２１の溝２８にかかる熱応力は小さい。すなわち，安全弁部２１の廻りに設けられたリブ部２２が放熱材として機能し，これにより開弁圧の低下が抑制される。
【００３０】
次に，注液口２４から外装缶１内に電解液を注入する。この電解液を注液する際，注液口２４から電解液が漏れることがある。しかしながら，安全弁部２１の廻りをリブ部２２で囲っているため，その漏れ電解液が安全弁部２１に付着することはない。すなわち，リブ部２２は，漏れ電解液による腐食を抑制する効果がある。電解液の注入後は，注液口２４を封止する。その後，充放電を行うことで蓄電池としてのコンディショニングを行う。これにより，缶型蓄電池１００が製造される。
【００３１】
続いて，本形態の缶型蓄電池および従来の缶型蓄電池について，安全弁部の開弁圧調査を行った結果について説明する。ここで従来の缶型電池とは，単体の安全弁部を出発材とし，その後にその安全弁部と封口蓋とをレーザ溶接にて一体化し，その後にその封口蓋と外装缶とをレーザ溶接にて一体化してなるもの，すなわち溶接型の安全弁部を有するものである。一方，本形態の缶型電池とは，安全弁部が一体的に形成された封口蓋を出発材とし，その後にその封口蓋と外装缶とをレーザ溶接にて一体化してなるもの，すなわち一体型の安全弁部を有するものである。
【００３２】
以下，開弁圧の調査結果を表１に示す。また，図８には，表１の調査結果をグラフにしたものを示す。なお，表１中のＮで表された数のサンプル数で試験を行い，その平均値を記載している。
【表１】
0004643176.tif 000002
【００３３】
この開弁圧調査の結果から，レーザ溶接を行う度に開弁圧が低下することがわかる。特に，従来の缶型蓄電池では，安全弁部単体を封口蓋に溶接する際には溶接熱の影響を受けて開弁圧が大幅に低下することがわかる。また，溶接後の開弁圧のばらつきも大きい。また，外装缶と一体化させる際にもレーザ溶接を行うため，さらに開弁圧が低下する。そして，開弁圧のばらつきも非常に大きくなることがわかる。従って，外装缶と一体化した後の開弁圧を予測することが困難であり，開弁圧のばらつきも大きい。
【００３４】
一方，本形態の缶型蓄電池では，安全弁部と封口蓋とが一体化された状態を出発材としているため，封口蓋と一体化した状態での開弁圧のばらつきは小さい。そして，その後にレーザ溶接にて外装缶と一体化した後も開弁圧の低下が小さく，開弁圧のばらつきも小さい。これはリブ部が放熱板として機能することにより溶接熱の影響を回避しているためであると考えられる。
【００３５】
以上詳細に説明したように本形態の缶型蓄電池１００は，安全弁部２１の廻りにリブ部２２を設けることとしている。このリブ部２２を設けることで，封口蓋２のねじれに対する剛性が向上する。また，安全弁部２１を外力から保護することができる。また，リブ部２２は，レーザ溶接時に溶接熱の伝達経路となる。そして，溶接熱はリブ部２２を介して放熱される。すなわち，安全弁部２１には殆ど伝達されないことから，溶接熱による影響は小さい。また，安全弁部２１は封口蓋２と一体的に形成されており，溶接される回数が少ない。従って，溶接時における熱の影響を回避し，安全弁部の外力に対する剛性を向上させた缶型電池が実現されている。
【００３６】
また，リブ部２２は，安全弁部２１が開放され，反応ガスが放出された際，その反応ガスのガス回収部材４へのダクトして利用することができる。よって，反応ガスの回収を容易に図ることができる。また，ガス回収部材４を取り付ける際も，隙間なく取り付けることが容易であり，ガス漏れの抑制を図ることもできる。
【００３７】
また，リブ部２２が安全弁部２１を取り囲むことにより，注液工程後における漏れ電解液の安全弁部２１への進入を防ぐことができる。よって，安全弁部２１の腐食を抑制することができる。
【００３８】
以下，封口蓋２の安全弁部２１廻りの構造について，幾つかの変形例を説明する。なお，外装缶１や発電要素１０については実施の形態と同様である。
【００３９】
［第１の変形例］
図９に，第１の変形例にかかる缶型蓄電池の封口蓋５０の概略を示す。封口蓋５０では，安全弁部５１がリブ部５２の上方に配置されている。この点，安全弁部２１が封口蓋２の下方，すなわち封口蓋２の板面と高さ方向で同じの位置に配置されている実施の形態（図４参照）と異なる。
【００４０】
このような配置にすると，安全弁部５２の位置が，封口蓋５０の板面の位置と比較して高いため，収納ケースの内側に安全弁部５１とリブ部５２とによって区画される内部スペース５３が設けられる。この内部スペース５３は，外装缶１内で発生した反応ガスを収容するガス室として利用することができる。これにより，内圧の早期の上昇を抑制することができる。勿論，リブ部５２によって剛性の確保および放熱性の確保を図ることもできる。
【００４１】
［第２の変形例］
図１０に，第２の変形例にかかる缶型蓄電池の封口蓋６０の概略を示す。封口蓋６０では，封口蓋６０の板面から外側に向けて突出する外側リブ部６２と内側に向けて突入する内側リブ部６３とを備えている。この点，封口蓋２の板面から外側に向けて突出するリブ部２２のみを備えた実施の形態（図４参照）と異なる。
【００４２】
このような配置にすると，リブ部が封口蓋６０の板面より外側および内側の両方に設けられているため，ねじれに対する剛性がさらに向上する。勿論，外側リブ部６２によって放熱性の確保を図ることもできる。なお，リブを両側に設ける場合には，片側だけに設ける場合と比較して，封口蓋２の板厚を厚くすることが好ましい。
【００４３】
［第３の変形例］
図１１に，第３の変形例にかかる缶型蓄電池の封口蓋７０の概略を示す。封口蓋７０では，リブ部７２の幅が上方側に向かうほど短い。すなわち，リブ部７２の断面がテーパ形状になるように設けられている。この点，リブ部２１の幅が一定である実施の形態（図４参照）と異なる。
【００４４】
このようにリブ部７２に傾きを設けることにより，ガス回収部材４の取り付けが容易になるとともにガス回収部材４のシール性が向上する。勿論，リブ部７２によって剛性の確保および放熱性の確保を図ることもできる。
【００４５】
［第４の変形例］
図１２に，第４の変形例にかかる缶型蓄電池の封口蓋８０の概略を示す。封口蓋８０では，リブ部８２の廻りに溝８３が設けられている。この点，溝が設けられていない実施の形態（図４参照）と異なる。
【００４６】
このように溝８３を設けることにより，溶接熱の伝達経路を狭めることができる。また，溝８３が折り目となって，封口蓋２が撓むことができる。そのため，外力に対してその力の伝達が抑制され，溶接熱および外力の影響を回避することができる。勿論，リブ部８２によって剛性の確保および放熱性の確保を図ることもできる。なお，溝８３は，図１２に示すようにリブ部８２の下に設けることが剛性を確保する上で好ましい。
【００４７】
［第５の変形例］
図１３に，第５の変形例にかかる缶型蓄電池の封口蓋９０の概略を示す。封口蓋９０では，その縁辺部分の構造が平坦に設けられている。この点，縁辺部分が折り曲げられている実施の形態（図４参照）と異なる。封口蓋９０は，縁辺部分の構造が平坦であるため，プレス成形等で製造する際，実施の形態と比較してその製造が容易である。
【００４８】
以下，封口蓋９０と外装缶１との溶接例を示す。図１４では，封口蓋９０の下面と，外装缶１の端面とを溶接した例を示している。この溶接例では，レーザの照射方向が外装缶１内部の電極体に向かう方向ではない。そのため，レーザが封口蓋９０と外装缶１との隙間から内部に入っても電極体に影響を及ぼさない。また，図１５では，封口蓋９０の端面と，外装缶１の内側面とを溶接した例を示している。この溶接例では，封口蓋９０が外装缶１の内側に嵌り込む状態となるため，位置決めが容易である。
【００４９】
なお，本実施の形態は単なる例示にすぎず，本発明を何ら限定するものではない。したがって本発明は当然に，その要旨を逸脱しない範囲内で種々の改良，変形が可能である。例えば，缶型電池はリチウムイオン電池に限るものではない。また，蓄電池に限るものでもない。すなわち，本発明における電池とは，化学的エネルギーを電気的エネルギーに変換する素子であればよく，ニッケル水素電池，ニッカド電池，燃料電池，電解型コンデンサ等にも適用可能である。
【００５０】
また，本実施の形態では，封口蓋と安全弁部とが一体的に成形されているもの（一体型）であるが，これに限るものではない。すなわち，開弁圧調査で示したように安全弁部を封口蓋に溶接したもの（溶接型）であってもよい。この場合であっても，溶接箇所と安全弁部との間にリブ部を設けることにより，溶接熱の影響を回避することが可能である。
【図面の簡単な説明】
【００５１】
【図１】実施の形態にかかる缶型蓄電池の概略構成を示す正面透視図である。
【図２】缶型蓄電池の封口蓋の概略を示す上面図である。
【図３】図２に示した封口蓋のＡ−Ａ断面を示す図である。
【図４】図３に示した封口蓋のＢ−Ｂ断面を示す図である。
【図５】実施の形態にかかる缶型蓄電池を組電池としたときの概略構成を示す上面図である。
【図６】図５に示した組電池の概略構成を示す正面図である。
【図７】外装缶と封口蓋とを溶接する際のイメージを示す図である。
【図８】缶型蓄電池の開弁圧調査の結果を示すグラフである。
【図９】第１の変形例にかかる封口蓋の概略を示す断面図である。
【図１０】第２の変形例にかかる封口蓋の概略を示す断面図である。
【図１１】第３の変形例にかかる封口蓋の概略を示す断面図である。
【図１２】第４の変形例にかかる封口蓋の概略を示す断面図である。
【図１３】第５の変形例にかかる封口蓋の概略を示す断面図である。
【図１４】第５の変形例にかかる封口蓋の溶接例（その１）を示す断面図である。
【図１５】第５の変形例にかかる封口蓋の溶接例（その２）を示す断面図である。
【図１６】従来の形態にかかる蓄電池の概略構成を示す斜視図である。
【符号の説明】
【００５２】
１      外装缶（缶体）
２      封口蓋（蓋体）
４      ガス回収部材（カバー部）
１０    発電要素（発電要素）
２１    安全弁部（安全弁部）
２２    リブ部（リブ部）
５２    リブ部（リブ部）
５３    内部スペース（空域部）
６２    外側リブ部（リブ部）
６３    内側リブ部（第２リブ部）
７２    リブ部（リブ部）
８２    リブ部（リブ部）
８３    溝（溝）
１００  缶型蓄電池
【図１】
0004643176.tif 000003
【図２】
0004643176.tif 000004
【図３】
0004643176.tif 000005
【図４】
0004643176.tif 000006
【図５】
0004643176.tif 000007
【図６】
0004643176.tif 000008
【図７】
0004643176.tif 000009
【図８】
0004643176.tif 000010
【図９】
0004643176.tif 000011
【図１０】
0004643176.tif 000012
【図１１】
0004643176.tif 000013
【図１２】
0004643176.tif 000014
【図１３】
0004643176.tif 000015
【図１４】
0004643176.tif 000016
【図１５】
0004643176.tif 000017
【図１６】
0004643176.tif 000018